(57)【要約】【課題】より確実に壁掛け設置することが可能な表示装置を提供すること。【解決手段】壁掛け可能な表示装置（１００）が提供される。当該表示装置（１００）は、映像又は画像が表示される表示部（１１０）と、壁面に設置され、前記表示部（１１０）が接続されるベース部（１２０、２２０）とを備える。そして、前記表示部（１１０）は、前記ベース部（１２０、２２０）に接続された際に所定の音声信号を発信する。これにより、より確実に壁掛け設置することが可能になる。【選択図】図３
2009128450.tif 000002
【特許請求の範囲】
【請求項１】
壁掛け可能な表示装置であって、
映像又は画像が表示される表示部と、
壁面に設置され、前記表示部が接続されるベース部と、
を備え、
前記表示部は、前記ベース部に接続された際に所定の音声信号を発信することを特徴とする、表示装置。
【請求項２】
前記表示部は、前記所定の音声信号が出力される出力端子を有し、
前記ベース部は、前記所定の音声信号が入力される入力端子を有し、
前記表示部は、前記出力端子と前記ベース部が有する入力端子とが接続された場合に前記所定の音声信号を発信することを特徴とする、請求項１に記載の表示装置。
【請求項３】
前記ベース部は、音声を出力する音声出力部をさらに備え、
前記音声出力部は、前記所定の音声信号に応じて所定の音声を出力することを特徴とする、請求項２に記載の表示装置。
【請求項４】
前記ベース部は、当該ベース部が設置された所定の空間領域内に位置する一又は複数の音声出力機器に対して信号を送信する信号送信部をさらに備え、
前記音声出力部は、前記信号送信部を用いて前記所定の音声信号を前記音声出力機器に送信し、当該音声出力機器から前記所定の音声を出力することを特徴とする、請求項３に記載の表示装置。
【請求項５】
前記表示部は、前記ベース部に自身を物理的に固定するための固定部材を有し、
前記ベース部は、前記表示部の固定部材に接続して当該表示部を固定するための接続部材を有し、
前記表示部は、前記出力端子と前記ベース部が有する入力端子とが接続され、かつ、前記固定部材と前記ベース部の接続部材とが物理的に固定された場合に前記所定の音声信号を発信することを特徴とする、請求項２に記載の表示装置。
【請求項６】
前記表示部は、前記ベース部に自身を物理的に固定するための固定部材を有し、
前記ベース部は、前記表示部の固定部材に接続して当該表示部を固定するための接続部材を有し、
前記表示部は、前記固定部材と前記ベース部の接続部材とが物理的に固定された場合に前記所定の音声信号を発信することを特徴とする、請求項１に記載の表示装置。
【請求項７】
前記表示部は、音声を出力する音声出力部をさらに備え、
前記音声出力部は、前記所定の音声信号に応じて所定の音声を出力することを特徴とする、請求項６に記載の表示装置。
【請求項８】
壁掛け可能な表示装置であって、
壁面に設置するための設置部材と、
前記設置部材により壁面に固定された状態か否かを検知する固定検知部と、
前記固定検知部により壁面に固定された状態が検知された際に所定の音声信号を発信する音声信号発信部と、
を備えることを特徴とする、表示装置。
【請求項９】
前記音声信号発信部は、前記表示装置が設置された所定の空間領域内に位置する一又は複数の音声出力機器に対して前記所定の音声信号を発信し、当該音声出力機器から所定の音声を出力させることを特徴とする、請求項８に記載の表示装置。
【請求項１０】
前記表示装置は、外枠部分が透明に形成されており、
前記設置部材は、前記透明な外枠部分に形成されたフック穴と、当該フック穴の周囲を補強するための補強部材とにより形成されることを特徴とする、請求項９に記載の表示装置。
【請求項１１】
前記表示装置は、前記外枠部分に向けて照射する発光部をさらに備え、
前記補強部材は、光を反射又は散乱させる受光部分を有し、
前記発光部により照射された光が前記受光部分で反射又は散乱されることにより、前記透明な外枠部分に光明が灌注されることを特徴とする、請求項１０に記載の表示装置。
【請求項１２】
映像又は画像が表示される表示部と、壁面に設置され、前記表示部が接続されるベース部とを有する壁掛け可能な表示装置における接続通知方法であって、
前記ベース部に接続された際に前記表示部により所定の音声信号が発信される音声信号発信ステップを含むことを特徴とする、接続通知方法。
【請求項１３】
壁面に設置するための設置部材を有する壁掛け可能な表示装置における接続通知方法であって、
前記設置部材により壁面に固定された状態か否かが検知される固定検知ステップと、
前記固定検知ステップにおいて壁面に固定された状態が検知された際に所定の音声信号が発信される音声信号発信ステップと、
を含むことを特徴とする、接続通知方法。
【発明の詳細な説明】
【技術分野】
【０００１】
本発明は、表示装置、及び接続通知方法に関する。
【背景技術】
【０００２】
近年、半導体材料や導電性又は誘電性有機材料の製造技術、及び高度な信号制御技術の発展に伴い、薄型かつ軽量な表示装置が開発されてきている。その代表的な例が薄型液晶ディスプレイである。ところが、最近、有機材料を発光体とする電界誘起型の蛍光現象を利用した有機ＥＬ（Ｅｌｅｃｔｒｏ  Ｌｕｍｉｎｅｓｃｅｎｃｅ）ディスプレイと呼ばれる表示装置が開発され、大きな注目を集めている。この有機ＥＬディスプレイは、液晶ディスプレイとは異なり、自発光型の表示装置であるため、バックライト等の発光設備を必要としない分だけ薄型化、及び軽量化が容易であるという特徴を有している。そのため、有機ＥＬディスプレイは、壁掛け利用や持ち運び利用等の用途が見込まれており、こうした新たな用途に適応するための技術開発が鋭意進められている。
【０００３】
これに関し、例えば、有機ＥＬディスプレイに代表される薄型ディスプレイを壁面に設置するための設置技術に注目が集まっている。この設置技術の一例として、薄型ディスプレイを壁面に設置する際に、予め壁面に設置された取り付け部材に薄型ディスプレイを固定することで壁掛け設置を実現する方式が挙げられる。また、この方式の応用として、取り付け部材から薄型ディスプレイに電源供給する方式も考えられる。これらの方式を適用すると、薄型ディスプレイを容易に壁掛け設置することが可能になる。しかしながら、いずれの方式を適用する場合にも、薄型ディスプレイと取り付け部材との間の接続が確実に実現されることが非常に重要である。
【０００４】
これに関し、例えば、下記の特許文献１〜３には、複数の機器を接続するための技術、及びその接続状態を確認するための技術が開示されている。例えば、下記の特許文献１には、発光表示装置に関する技術が記載されている。この技術は、発光ダイオード、電池、及びこれらを取り付ける金属部材が一体に形成され、金属部材の接続状態に応じて発光ダイオードが点灯／消滅する発光体の構造に特徴がある。
【０００５】
他の例として、下記の特許文献２には、携帯型機器、及び脱着部材に関する技術が記載されている。この技術は、暗がりで携帯型機器を脱着部材に取り付ける際に、その取り付け方向が確認できるように、蓄積した外光を発光する蓄光部材を設けた点に特徴がある。さらに他の例として、下記の特許文献３には、情報提供装置に設けられる脱着パネル装置に関する技術が記載されている。この技術は、表示パネルに操作装置を脱着できる点に１つの特徴がある。また、操作装置が２つの異なる通信手段を有する点にも特徴がある。
【０００６】
【特許文献１】特開２０００−１９９９６号公報
【特許文献２】特開２００４−４６０３５号公報
【特許文献３】特開２００７−１２７８８１号公報
【発明の開示】
【発明が解決しようとする課題】
【０００７】
しかしながら、上記の各特許文献に記載された技術を個々に、或いは、組み合わせて適用したとしても、薄型ディスプレイと取り付け部材とが物理的に接続されているか否か、そして、電気的に接続されているか否かを確実に判断することが難しい。
【０００８】
そこで、本発明は、上記問題に鑑みてなされたものであり、本発明の目的とするところは、より確実に壁掛け設置することが可能な、新規かつ改良された表示装置、及び接続通知方法を提供することにある。
【課題を解決するための手段】
【０００９】
上記課題を解決するために、本発明のある観点によれば、壁掛け可能な表示装置が提供される。当該表示装置は、映像又は画像が表示される表示部と、壁面に設置され、前記表示部が接続されるベース部と、を備え、前記表示部は、前記ベース部に接続された場合に所定の音声信号を発信することを特徴とする。
【００１０】
また、前記表示部は、前記所定の音声信号が出力される出力端子を有していてもよい。そして、前記ベース部は、前記所定の音声信号が入力される入力端子を有していてもよい。さらに、前記表示部は、前記出力端子と前記ベース部が有する入力端子とが接続された場合に前記所定の音声信号を発信してもよい。
【００１１】
また、前記ベース部は、音声を出力する音声出力部をさらに備えていてもよい。そして、前記音声出力部は、前記所定の音声信号に応じて所定の音声を出力してもよい。
【００１２】
また、前記ベース部は、当該ベース部が設置された所定の空間領域内に位置する一又は複数の音声出力機器に対して信号を送信する信号送信部をさらに備えていてもよい。さらに、前記音声出力部は、前記信号送信部を用いて前記所定の音声信号を前記音声出力機器に送信し、当該音声出力機器から前記所定の音声を出力してもよい。
【００１３】
また、前記表示部は、前記ベース部に自身を物理的に固定するための固定部材を有していてもよい。さらに、前記ベース部は、前記表示部の固定部材に接続して当該表示部を固定するための接続部材を有していてもよい。そして、前記表示部は、前記出力端子と前記ベース部が有する入力端子とが接続され、かつ、前記固定部材と前記ベース部の接続部材とが物理的に固定された場合に前記所定の音声信号を発信してもよい。
【００１４】
また、前記表示部は、前記ベース部に自身を物理的に固定するための固定部材を有していてもよい。さらに、前記ベース部は、前記表示部の固定部材に接続して当該表示部を固定するための接続部材を有していてもよい。そして、前記表示部は、前記固定部材と前記ベース部の接続部材とが物理的に固定された場合に前記所定の音声信号を発信してもよい。
【００１５】
また、前記表示部は、音声を出力する音声出力部をさらに備えていてもよい。さらに、前記音声出力部は、前記所定の音声信号に応じて所定の音声を出力してもよい。
【００１６】
また、上記課題を解決するために、本発明の別の観点によれば、壁掛け可能な表示装置が提供される。当該表示装置は、壁面に設置するための設置部材と、前記設置部材により壁面に固定された状態か否かを検知する固定検知部と、前記固定検知部により壁面に固定された状態が検知された場合に所定の音声信号を発信する音声信号発信部とを備えることを特徴とする。
【００１７】
また、前記音声信号発信部は、前記表示装置が設置された所定の空間領域内に位置する一又は複数の音声出力機器に対して前記所定の音声信号を発信し、当該音声出力機器から所定の音声を出力させてもよい。
【００１８】
また、前記表示装置は、外枠部分が透明に形成されていてもよい。さらに、前記設置部材は、前記透明な外枠部分に形成されたフック穴と、当該フック穴の周囲を補強するための補強部材とにより形成されていてもよい。
【００１９】
また、前記表示装置は、前記外枠部分に向けて照射する発光部をさらに備えていてもよい。そして、前記補強部材は、光を反射又は散乱させる受光面を有し、前記発光部により照射された光が前記受光面で反射又は散乱されることにより、前記透明な外枠部分に光明が灌注されるように形成されていてもよい。
【００２０】
また、上記課題を解決するために、本発明の別の観点によれば、映像又は画像が表示される表示部と、壁面に設置され、前記表示部が接続されるベース部とを有する壁掛け可能な表示装置における接続通知方法が提供される。当該接続通知方法は、前記ベース部に接続された場合に前記表示部により所定の音声信号が発信される音声信号発信ステップを含むことを特徴とする。
【００２１】
また、上記課題を解決するために、本発明の別の観点によれば、壁面に設置するための設置部材を有する壁掛け可能な表示装置における接続通知方法が提供される。当該接続通知方法は、前記設置部材により壁面に固定された状態か否かが検知される固定検知ステップと、前記固定検知ステップにおいて壁面に固定された状態が検知された場合に所定の音声信号が発信される音声信号発信ステップとを含むことを特徴とする。
【発明の効果】
【００２２】
以上説明したように本発明によれば、より確実に壁掛け設置することが可能になる。
【発明を実施するための最良の形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
＜本発明の一実施形態＞
以下、本発明の一実施形態について説明する。本実施形態は、静止画表示モードを有する薄型の表示装置において、静止画表示モードに切り替えられた際に表示される静止画をユーザの嗜好情報に基づいて選出する技術に特徴を有する。当該技術により、ユーザが表示装置を壁掛け利用する場合にも、ユーザの生活空間に適合したインテリアの一部として利用することが可能になり、薄型表示装置の新たな利用スタイルを実現できる。
【００２５】
［表示装置１００の全体構造］
まず、図１、及び図２を参照しながら、本実施形態に係る表示装置１００の全体構造について説明する。図１、及び図２は、本実施形態に係る表示装置１００の全体構成を示す説明図である。特に、図１は、正面右上から表示装置１００を斜めに見た場合の全体構造を示す説明図である。また、図２は、表示装置１００の背面右上から表示装置１００を斜めに見た場合の全体構造、及び表示部１１０とベース部１２０との脱着構造を示す説明図である。
【００２６】
例えば、図１に示すように、本実施形態に係る表示装置１００は、主に、表示部１１０と、ベース部１２０とにより構成される。
【００２７】
また、図１、及び図２に示すように、表示部１１０は、主に、表示パネル１１０２と、周辺部１１０４と、背面部１１０８と、接続部１１１０と、信号入出力端子１１１２とにより構成される。さらに、ベース部１２０は、主に、アーム１２０２と、カードリーダ１２０４と、接続部１２０６と、アンテナ１２０８とにより構成される。
【００２８】
（表示パネル１１０２）
表示パネル１１０２には、例えば、有機ＥＬパネルや液晶パネル等のような薄型パネルを採用することができる。但し、壁掛け型の表示ディスプレイとして利用する場合、有機ＥＬパネルを採用する方が好ましい。
【００２９】
有機ＥＬパネルは、自発光型の発光素子である複数の有機ＥＬ素子により形成されている。そのため、有機ＥＬパネルには、バックライト等の装置が不要であり、その分だけ他の発光機構を有する表示パネルに比べて厚さを薄く形成することが可能である。表示パネル１１０２に有機ＥＬパネルを採用すると、表示部１１０の厚さは、実際、数ｍｍ程度（３ｍｍ程度）、或いは、それ以下の厚さにまで抑えることができると言われている。そのため、有機ＥＬパネルは、他の発光機構を採用した表示パネルに比べて軽量である。
【００３０】
（アーム１２０２）
さて、図１の例において、アーム１２０２は、ベース部１２０の後方に１箇所設けられ、かつ、ベース部１２０から上方に向けて立設されている。また、アーム１２０２は、表示装置１００を正面から見た場合に、ベース部１２０の横方向（水平方向）の中心よりも右側に設けられており、表示部１１０の横方向の中心よりも右側に連結されている。
【００３１】
上記のように、表示装置１００は、例えば、表示部１１０の水平方向の中心よりも左右いずれかの端部側にアーム１２０２が設けられた構造をしており、表示部１１０が片持ちで支持される。尚、アーム１２０２は、表示部１１０の水平方向の端部に接続していてもよい。また、アーム１２０２の上端を表示部１１０の水平方向の中心近傍に接続し、下端をベース部１２０の端部に接続する片持ち構造であってもよい。さらに、アーム１２０２は、折り畳まれてベース部１２０に格納される構造（非図示）であってもよい。
【００３２】
（接続部１１１０、１２０６）
また、図２に示すように、表示部１１０とベース部１２０とは、符号Ｘで示すように、接続部１１１０、１２０６の部分で取り外し可能な構造であってもよい。このように取り外された場合、例えば、表示部１１０は、無線通信を介してベース部１２０から受像データ等を受信し、受信した受像データ等を表示パネル１１０２に出力する。
【００３３】
（表示パネル１１０２の重量について）
こうした構造は、例えば、軽量かつ薄型である有機ＥＬパネルを表示パネル１１０２に採用することで比較的容易に実現される。もちろん、有機ＥＬパネルに代えて、他の発光機構を利用した薄型かつ軽量の表示パネルを用いてもよい。しかし、表示パネル１１０２に液晶パネルを採用すると、表示部１１０は、バックライトが設置される分だけ厚さが厚くなり、当然、その分だけ重量も増加してしまう。
【００３４】
例えば、テレビ映像を表示するためのディスプレイとして使用する場合、このディスプレイは、テレビ映像の視聴に耐えるだけの映像品質を実現するために、コンピュータ等に利用されるディスプレイよりも多くのバックライトが設置される。また、液晶ディスプレイには、バックライトを制御するためのインバータも設置されるため、さらに重量が非常に大きくなってしまう。
【００３５】
一方で、有機ＥＬパネルは、自発光型の有機ＥＬ素子により形成されるため、バックライトや、これに付随するインバータ等の駆動部材が不要である。そのため、有機ＥＬパネルは、主にガラス製の薄板パネルを用いて軽量に形成される。その結果、表示パネル１１０２に有機ＥＬパネルを採用することで、軽量かつ薄型の表示部１１０が比較的容易に実現されるのである。
【００３６】
このように、表示部１１０が軽量かつ薄型になると、図１のように、片側に設置されたアーム１２０２のみにより支持される表示装置１００の構造が容易に実現されると共に、表示部１１０をアーム１２０２から離脱し、又は折り畳んで壁掛け設置する利用形態も容易に実現される。
【００３７】
（片持ち構造による効果）
図１に示すように、アーム１２０２が表示部１１０の横方向の中央部分から端部に寄って配置されると、表示部１１０が片持ちで支持される構造になる。そのため、表示部１１０に対峙して映像を視聴するユーザは、その視野からアーム１２０２が外れることで、表示画面のみを独立して認識することが可能になる。その結果、ユーザは、恰もベース部１２０上に表示部１１０が浮いているような印象を受けうる。従って、表示部１１０が片持ちで支持される構造は、ユーザに対して表示画面のみを独立して注視させる効果を発生させうる。
【００３８】
また、ベース部１２０の中央にアーム１２０２の根元を連結する必要がなくなるため、アーム１２０２の設置に関する自由度が向上する。従って、ベース部１２０の内部構造や基板の配置等を考慮して、ベース部１２０に対するアーム１２０２の設置位置を決めることが可能となる。その結果、設計の自由度が高まる。このように設計の自由度が高まると、ベース部１２０の内部構造を考慮して空間利用効率が高くなるように装置部材を配置することができるため、表示装置１００の大きさをより小さく抑えることが可能になる。その結果、表示装置１００自体の重量を大きく低減させることができる。
【００３９】
また、アーム１２０２がベース部１２０の中央に設置されないため、ベース部１２０の上面に有効なスペースを広くとることができる。そのため、例えば、ベース部１２０に表示画面、操作ボタン、ＬＥＤ表示灯、非接触ＩＣカード用のカードリーダ１２０４等を設置することが可能になる。
【００４０】
（アーム１２０２の折り畳み構造について）
ところで、アーム１２０２は、ベース部１２０の後方から表示部１１０の裏面に向かって傾斜するように回動可能に設置されており、ベース部１２０に対して垂直又は水平な角度にすることもできる（非図示）。尚、鉛直方向に対するアーム１２０２の傾斜角度を４５°〜６０°程度に設定すると、アーム１２０２は、表示部１１０の正面に対峙したユーザにとって表示部１１０の裏に隠れて見える。
【００４１】
さらに、表示部１１０とアーム１２０２とがベース部１２０に対して水平な角度になるように折り畳まれると、表示装置１００は、表示部１１０とベース部１２０とが一体となった板状の形態になる。そのため、ユーザは、容易に表示装置１００を持ち運び、或いは、壁掛けして利用することが可能になる。
【００４２】
（表示部１１０の壁面設置について）
また、表示部１１０とベース部１２０とが取り外された場合、表示部１１０は、ユーザにより容易に持ち運ぶことができるようになる。そのため、ユーザは、例えば、表示部１１０を他のベース部１２０に接続して利用したり、或いは、壁面に設置された額縁型のベース部１２０に固定して利用することができる。また、ユーザは、表示部１１０を単独で壁掛けして利用することもできる。この場合、表示部１１０は、例えば、ベース部１２０から無線通信を介して受信した受像データ等を表示する。
【００４３】
このように、ユーザは、薄型で軽量な表示部１１０を様々な生活空間、又は活動地点に移動させ、放送された映像や撮像装置等で取得された静止画を楽しむことができるようになる。このとき、表示部１１０がより薄型かつ軽量になれば、表示部１１０が持ち運びやすくなり、ユーザの用途が大きく広がるものと思われる。但し、ユーザが様々な場面で表示部１１０を安全かつ安定して利用できるようにするには、その設置手段に更なる工夫を施す必要がある。
【００４４】
例えば、壁面に設置されたベース部１２０に対して固定する場合、或いは、壁面に設けられたフックに表示部１１０を固定する場合、表示部１１０は、落下せぬように物理的に確実に固定されている必要がある。また、壁面に設置されたベース部１２０から電力供給がされる場合、表示部１１０は、ベース部１２０と電気的に確実に接続されている必要がある。さらに、ベース部１２０から映像信号等を有線で受信する場合、或いは、ベース部１２０の機能（例えば、通信機能、音声出力機能）を利用して音声出力等をする場合、表示部１１０は、ベース部１２０との間の信号経路が確実に接続されている必要がある。
【００４５】
そこで、本実施形態に係る表示部１１０は、例えば、壁面に設置されたベース部１２０に接続された際に、信号入出力端子１１１２が確実に接続された状態であることを検知してユーザに通知する手段を有する。また、表示部１１０は、壁面に物理的に固定された状態であることを検知してユーザに通知する手段を有する。さらに、表示部１１０は、壁面設置されたベース部１２０等から電力供給を受ける場合に、その給電状態を検知してユーザに通知する手段を有する。これらの手段について、後段において詳述する。
【００４６】
（ベース部１２０）
ここで、ベース部１２０について、より詳細な説明を加える。ベース部１２０には、付属構成として、衛星放送（ＢＳ，ＣＳ）、地上デジタル放送のチューナ、ＬＡＮ、ＨＤＭＩ、ＵＳＢ等の各種端子が組み込まれていてもよい。また、ベース部１２０には、図２に示すように、地上デジタル放送を受信するためのアンテナ１２０８が設けられていてもよい。このアンテナ１２０８は、例えば、ロッドアンテナであってもよいし、或いは、パッチアンテナであってもよい。さらに、ベース部１２０には、スピーカーボックスや操作ボタン等が組み込まれていてもよい。尚、これらの付属構成は、表示部１１０の背面部１１０８に内蔵されていてもよい。
【００４７】
さらに、ベース部１２０は、効率的に熱を外部に排出するための排熱構造を有する。ベース部１２０は、表示部１１０を駆動制御する信号処理回路を内蔵している。この信号処理回路は、主に、第１の回路基板（Ｏ基板）と、第２の回路基板（Ｂ−ＣＡＳ基板）と、冷却ファンと、放熱板（ヒートスプレッダ）とにより構成される。
【００４８】
放熱板は、ベース部１２０の形状に応じて（例えば、矩形状に）成形され、プレス成形された金属板により形成される。また、放熱板は、ベース部１２０の内部で電子部品が実装されていない領域に延在するように形成される。さらに、放熱板には、第１及び第２の回路基板に実装された電子部品の位置に対応して複数の凹凸が設けられている。この凹凸は、第１及び第２の回路基板に実装された電子部品に接触するように形成されている。尚、放熱板は、各電子部品と直接的に接触するか、或いは、シリコンゴム等の熱伝導性シート（放熱シート）を介して間接的に接触するように形成される。
【００４９】
また、放熱板には、冷却ファンが設置されていてもよい。この場合、ベース部１２０には、冷却ファンの下部に位置する部分に外気を吸入するための吸入口と、吸入された空気を排出するための排出口とが設けられる。そのため、この吸入口から吸入された空気は、第１及び第２の回路基板の熱を吸収して冷却した後、その吸収した熱を外部に排出するため、ベース部１２０の後面に設けられた排出口から外部へ排出される。尚、放熱板の熱を効率良く外部に排出するためのヒートパイプが設けられていてもよい。
【００５０】
上記の排熱構造を利用することで、効率良くベース部１２０の内部を冷却することが可能になる。但し、上記の第１及び第２の回路基板を表示部１１０に内蔵する場合、上記のような排熱構造を表示部１１０に形成することで表示パネル１１０２の寿命を延ばしたり、発熱による画質の低下や発光効率の低下を抑制することができる。この効果は、長時間壁掛け利用される場合に顕著である。
【００５１】
［表示部１１０の接続通知方法］
ここで、図３、及び図４を参照しながら、本実施形態に係る表示部１１０の接続通知方法について説明する。図３、及び図４は、本実施形態に係る表示部１１０の接続通知方法を示す説明図である。
【００５２】
（ベース部２２０による接続通知）
まず、図３を参照する。図３には、表示部１１０と、壁面に設置されたベース部２２０とが示されている。このベース部２２０は、上記のベース部１２０であってもよい。また、ベース部２２０は、上記のベース部１２０が有する機能の一部又は全部を備えていてもよい。また、ベース部２２０は、単なる額縁等の固定部材であってもよい。
【００５３】
図３に示すように、ベース部２２０は、主に、周辺部２２０２と、信号入出力端子２２０４と、音声出力部２２０６とにより構成される。図３の例では、ベース部２２０を形成する周辺部２２０２の内周部分に、表示部１１０の外周部分が嵌合されて固定される。このとき、表示部１１０の信号入出力端子１１１２と、ベース部２２０の信号入出力端子２２０４とが接続される。
【００５４】
図中には明示しないが、表示部１１０又はベース部２２０には、例えば、表示部１１０とベース部２２０とが嵌合された状態を検知するための嵌合検知センサＦＳが設けられていてもよい。また、表示部１１０又はベース部２２０には、例えば、ベース部２２０から表示部１１０に電力供給がされる場合に、その給電状態を検知するための給電検知センサＰＳが設けられていてもよい。さらに、表示部１１０又はベース部２２０には、例えば、信号入出力端子１１１２、２２０４を介して入出力される信号を検知する信号検知センサＳＳが設けられていてもよい。
【００５５】
例えば、表示部１１０とベース部２２０とが接続された際に、表示部１１０は、信号入出力端子１１１２を介して音声出力信号をベース部２２０に入力する。信号入出力端子１１１２、２２０４が確実に接続されている場合、表示部１１０から入力された音声出力信号は、ベース部２２０に入力されてベース部２２０の音声出力部２２０６から音声が出力される。その結果、ユーザは、表示部１１０とベース部２２０との間の信号経路が確実に接続されたことを確認することができる。但し、表示部１１０は、例えば、上記の嵌合検知センサＦＳ、給電検知センサＰＳ、信号検知センサＳＳから発信された出力信号に基づいてベース部２２０との間の接続状態を検知する。
【００５６】
例えば、表示部１１０に対してベース部２２０から電力供給が開始されたタイミングが重要である場合、ユーザは、給電検知センサＰＳの出力信号と信号検知センサＳＳの出力信号とを受信したタイミングで音声出力信号が発信されるように設定することができる。同様に、表示部１１０がベース部２２０に確実に固定された状態を知ることが重要である場合、ユーザは、嵌合検知センサＦＳの出力信号と信号検知センサＳＳの出力信号とを受信したタイミングで音声出力信号が発信されるように設定することができる。もちろん、ユーザは、信号検知センサＳＳの出力信号のみを受信したタイミングで音声出力信号が発信されるように設定することも可能である。
【００５７】
上記のように、表示部１１０とベース部２２０とが接続された際に、表示部１１０から音声出力信号が発信され、ベース部２２０に設けられた音声出力部２２０６によって音声が出力されることで、少なくとも信号入出力端子１１１２、２２０４が確実に接続された状態であることをユーザに通知することができる。
【００５８】
また、上記技術の応用例として、音声出力信号の信号経路を無線化する方式も考えられる。この方式の場合、表示部１１０は、給電検知センサＰＳの出力信号、又は嵌合検知センサＦＳの出力信号を受信したタイミングでベース部２２０に音声出力信号を発信する。そして、ベース部２２０は、受信した音声出力信号に応じて音声出力部２２０６から音声を出力する。この場合、信号経路の接続状態に関わらず、給電経路の状態、又は嵌合状態に応じて音声を出力することが可能になる。尚、この無線方式は、例えば、赤外線通信、可視光通信、ＲＦ通信等の様々な通信形態を利用して実現される。
【００５９】
（表示部１１０による接続通知）
次に、図４を参照する。図４には、表示部１１０と、壁面に設置されたベース部２２０とが示されている。このベース部２２０は、上記のベース部１２０であってもよい。また、ベース部２２０は、上記のベース部１２０が有する機能の一部又は全部を備えていてもよい。また、ベース部２２０は、単なる額縁等の固定部材であってもよい。
【００６０】
図４に示すように、表示部１１０は、主に、表示パネル１１０２と、周辺部１１０４と、信号入出力端子１１１２（図２を参照）と、音声出力部１１１４とにより構成される。図４の例では、ベース部２２０を形成する周辺部２２０２の内周部分に、表示部１１０の外周部分が嵌合されて固定される。このとき、表示部１１０の信号入出力端子１１１２と、ベース部２２０の信号入出力端子２２０４とが接続される。図３と図３との間の相違点は、主に、音声出力部が表示部１１０に設けられているか（音声出力部１１１４）、或いは、ベース部２２０に設けられているか（音声出力部２２０６）という点にある。
【００６１】
（ケース１）
例えば、表示部１１０とベース部２２０とが接続された際に、表示部１１０は、音声出力信号を発信し、この音声出力信号に基づいて音声出力部１１１４から音声を出力する（ケース１）。この場合、表示部１１０は、信号検知センサＳＳ、嵌合検知センサＦＳの出力信号、又は給電検知センサＰＳの出力信号に応じて音声出力信号を発信する。但し、信号検知センサＳＳの出力信号は、表示部１１０とベース部２２０とが接続された際に、表示部１１０又はベース部２２０から発信された所定の信号に応じて出力されるものである。例えば、信号経路が非接触通信方式である場合、信号入出力端子１１１２、２２０４のいずれかが発信したポーリングコマンドに応じて所定の信号が出力される。
【００６２】
（ケース２）
他の例として、表示部１１０とベース部２２０とが接続された際に、ベース部２２０は、信号入出力端子２２０４を介して音声出力信号を表示部１１０に入力する（ケース２）。信号入出力端子１１１２、２２０４が確実に接続されている場合、ベース部２２０から入力された音声出力信号は、表示部１１０に入力されて表示部１１０の音声出力部１１１４から音声が出力される。その結果、ユーザは、表示部１１０とベース部２２０との間の信号経路が確実に接続されたことを確認することができる。
【００６３】
尚、ベース部２２０は、例えば、上記の嵌合検知センサＦＳ、給電検知センサＰＳ、信号検知センサＳＳから発信された出力信号に基づいて表示部１１０との間の接続状態を検知してもよい。或いは、ベース部２２０は、嵌合検知センサＦＳ、給電検知センサＰＳ、信号検知センサＳＳから発信された出力信号に基づいて表示部１１０から発信された所定の信号に応じて音声出力信号を発信してもよい。
【００６４】
上記のように、表示部１１０とベース部２２０とが接続された際に、表示部１１０又はベース部２２０から音声出力信号が発信され、表示部１１０に設けられた音声出力部１１１４によって音声が出力されることで、少なくとも信号入出力端子１１１２、２２０４が確実に接続された状態であることをユーザに通知することができる。
【００６５】
以上、表示部１１０、及びベース部２２０による接続通知方法について説明した。本実施形態に係る接続通知方法は、上記の例に限定されない。例えば、表示部１１０とベース部２２０との双方に音声出力手段を設けることも可能である。
【００６６】
また、信号検知センサＳＳは、信号状態として、音声信号の入出力状態と映像信号の入出力状態とを個別に検知してもよいし、入力信号のＳ／Ｎ比が所定値以上であるか否かを検知してもよい。さらに、嵌合検知センサＦＳは、嵌合状態として、ベース部２２０のフック（非図示）と表示部１１０のフック穴（非図示）とがロック状態にあるか否かを検知してもよいし、一対の連結部材が物理的に連結した状態にあるか否かを検知してもよい。そして、表示部１１０とベース部２２０とは、物理的に固定する機構として磁気結合部材を利用してもよい。この場合、嵌合検知センサＦＳに代えて、例えば、表示部１１０とベース部２２０との間の結合強度を検知するための結合強度センサＭＳが利用される。このように、種々の変形が可能である。
【００６７】
［表示部１１０の変形例］
次に、図５、図６、図７を参照しながら、本実施形態に係る表示部１１０の変形例について説明する。図５、図６、図７は、本実施形態に係る表示部１１０の変形例を示す説明図である。
【００６８】
（外枠部１１１６、設置部材１１１８）
まず、図５を参照する。図５は、表示部１１０の外枠、及び設置部材に係る変形例を示す説明図である。図５に示すように、本変形例に係る表示部１１０は、主に、表示パネル１１０２と、周辺部１１０４とに加え、外枠部１１１６と、設置部材１１１８とにより構成される。
【００６９】
外枠部１１１６は、所定値以上の剛性を有する透明部材、又は半透明の部材により構成される。外枠部１１１６は、例えば、所定値以上の光透過率を有するガラス等の非晶質固体材料、ポリカーボネート等のプラスチック材料、アクリル樹脂等の非晶質合成樹脂材料、又はその他のガラス質物質等により形成される。また、外枠部１１１６には、その内部で光が反射、屈折、又は散乱等するような装飾が施されていてもよい。さらに、外枠部１１１６は、屈折率等の異なる複数の材料を組み合わせて形成されていてもよい。
【００７０】
外枠部１１１６には、一又は複数の設置部材１１１８が形成される。図５の例では、６個の設置部材１１１８が形成されている。この設置部材１１１８は、例えば、壁面又はベース部２２０に設けられたフック等の設置部材に嵌合されるフック穴等である。逆に、設置部材１１１８は、壁面又はベース部２２０に設けられたフック穴に嵌合される突起部材であってもよい。さらに、この設置部材１１１８は、壁面やベース部２２０に設けられた磁気結合部材又は金属部材に接合して固定するための金属部材又は磁気結合部材であってもよい。このように、設置部材１１１８は、多種多様な形態により実現される。そのため、設置部材１１１８の形状は、図５のように矩形でもよいが、例えば、略円形や略多角形、或いは、星型や人型等の任意の形状であってもよい。
【００７１】
上記のように、外枠部１１１６を透明又は半透明な部材で形成することにより、設置部材１１１８を設けるために拡大してしまう枠領域の大きさをユーザに意識させず、さらに、周辺部１１０４とのコントラストを強調することでデザイン性をアップさせることができる。その効果を強めるには、周辺部１１０４を不透明な色彩にする方が好ましい。尚、設置部材１１１８には、嵌合検知センサＦＳ又は結合強度センサＭＳが設けられていてもよい。
【００７２】
（補強部材１１２０）
次に、図６を参照する。図６は、外枠部１１１６に設けられる補強部材に関する変形例を示す説明図である。図６に示すように、本変形例に係る表示部１１０は、主に、表示パネル１１０２と、周辺部１１０４と、外枠部１１１６と、設置部材１１１８とに加え、補強部材１１２０により構成される。
【００７３】
補強部材１１２０は、主に、設置部材１１１８、又は設置部材１１１８の周辺部分の強度を高めるための部材である。そのため、補強部材１１２０は、外枠部１１１６よりも剛性が高い材料により形成される。補強部材１１２０は、例えば、金属材料や高強度の樹脂材料等により形成される。また、補強部材１１２０は、透明部材、半透明部材、又は不透明部材のいずれにより形成されていてもよい。さらに、補強部材１１２０は、表面又は内部で光を反射又は散乱させる材料により形成されるか、或いは、光を反射又は散乱させる材料により表面の一部又は全部が被覆されていてもよい。
【００７４】
図５に示すように、補強部材１１２０は、設置部材１１１８の周囲に形成される。また、補強部材１１２０は、設置部材１１１８の形状に適合するような形状であることが好ましい。従って、補強部材１１２０は、図６に示すような矩形であってもよいし、或いは、略円形や略多角形等であってもよい。また、補強部材１１２０は、設置部材１１１８又はその周囲を補強できればよいため、必ずしも設置部材１１１８の外周に接続していなくてもよい。また、一の設置部材１１１８に対して複数の補強部材１１２０を設けてもよい。さらに、補強部材１１２０は、全体として外枠部１１１６の強度を高めるために、設置部材１１１８が形成されていない領域に設置されてもよい。尚、補強部材１１２０には、嵌合検知センサＦＳ又は結合強度センサＭＳが設けられていてもよい。
【００７５】
（発光部１１２２）
次に、図７を参照する。図７は、周辺部１１０４に設けられる発光部に関する変形例を示す説明図である。図７に示すように、本変形例に係る表示部１１０は、主に、表示パネル１１０２と、周辺部１１０４と、外枠部１１１６と、設置部材１１１８と、補強部材１１２０とに加え、発光部１１２２により構成される。
【００７６】
発光部１１２２は、主に外枠部１１１６に向けて発光する手段である。つまり、発光部１１２２は、表示パネル１１０２から外枠部１１１６の方向に光を照射する。但し、発光部１１２２は、ある程度の拡がりを有する光を外枠部１１１６内外に発する。従って、発光部１１２２から発せられた光は、外枠部１１１６の内部の有限領域に拡散し、恰も外枠部１１１６の全体又は大部分が発光しているかのように見える。
【００７７】
例えば、外枠部１１１６に光を拡散する材料を用いると、外枠部１１１６が煌々と輝いて見えるようになる。さらに、補強部材１１２０に光を反射又は散乱する材料を用いると、外枠部１１１６内の光の拡散状態がより複雑になると共に、補強部材１１２０がより強く又は弱く輝くため、明度や色彩にアクセントを加えることができる。その結果、表示部１１０全体のデザイン性が大きく向上するという効果が得られる。
【００７８】
以上、本実施形態に係る表示部１１０の変形例について説明した。上記の変形例の一部又は全部を様々に組み合わせることも可能であり、このような組み合わせも本実施形態の技術的範囲に属する。また、周辺部１１０４、外枠部１１１６、補強部材１１２０等の色調、色彩等は任意であり、発光部１１２２から照射される光の色度等はユーザにより自由に設定されるように構成してもよい。また、発光部１１２２は、周辺部１１０４内外の任意の位置に設置される他、外枠部１１１６内外の任意の位置に設置されてもよい。
【００７９】
［表示装置１００の機能構成］
次に、図８を参照しながら、本実施形態に係る表示装置１００の機能構成について説明する。図８は、本実施形態に係る表示装置１００の機能構成を示す説明図である。図８に示すように、表示装置１００は、主に、表示部１１０と、ベース部１２０、２２０とにより構成される。そこで、表示部１１０、及びベース部１２０、２２０の各々が有する機能構成について説明する。
【００８０】
（表示部１１０の機能構成）
図８に示すように、表示部１１０は、主に、映像出力部１１５０と、接続管理部１１７０と、フォトセンサ１１４２と、ジャイロセンサ１１４４と、電源部１１４６と、通信部１１４８とにより構成される。
【００８１】
（映像出力部１１５０）
映像出力部１１５０は、主に、画素部１１５２と、走査回路１１５４、１１５６と、駆動制御部１１５８とにより構成される。
【００８２】
画素部１１５２は、複数の画素がマトリクス状に形成された画素アレイにより構成される。各画素は、三原色（赤、青、緑）のいずれかの光を発光する発光素子により形成されており、走査回路１１５４、１１５６から延設された信号線の交点に配置される。走査回路１１５４、１１５６は、駆動制御部１１５８から入力された制御信号に応じて各信号線に電力信号を印加する。そして、各画素は、各信号線から入力された電力信号に応じて発光する。例えば、有機ＥＬパネルの場合、一の信号線の信号に応じて素子に電子が注入され、他の信号線の信号に応じて素子に正孔が注入される。
【００８３】
ここで、図９を参照しながら、映像出力部１１５０の具体的な装置構成について詳細に説明する。図９は、本実施形態に係る映像出力部１１５０の具体的な装置構成を示す説明図である。ここで例示する映像出力部１１５０は、アクティブマトリクス型の表示手段である。
【００８４】
図９に示すように、映像出力部１１５０は、主に、画素アレイ１１９２と、周辺回路部とにより構成される。また、周辺回路部は、例えば、水平セレクタ１１９４と、ライトスキャナ１１９６と、ドライブスキャナ１１９８とにより構成される。
【００８５】
画素アレイ１１９２は、行状の走査線ＷＳと列状の信号線ＳＬとが交差する各部分に形成され、マトリクス状に配列された複数の画素Ｒ，Ｇ，Ｂにより構成されている。尚、ここで例示する画素アレイ１１９２は、カラー表示のために必要な三原色（Ｒ、Ｇ、Ｂ）の画素により形成されている。しかし、本実施形態に係る画素の種類は、これに限定されない。各画素は、画素回路１１９０により形成されている。また、信号線ＳＬは、水平セレクタ１１９４によって駆動される。水平セレクタ１１９４は、ドライバＩＣ（Ｉｎｔｅｇｒａｔｅｄ  Ｃｉｒｃｕｉｔ）により実現され、信号線ＳＬに映像信号を供給する役割を担う。
【００８６】
一方、走査線ＷＳは、ライトスキャナ１１９６によって走査される。図９に示すように、走査線ＷＳは複数設けられており、第１の走査線ＷＳに並行して第２の走査線ＤＳが配線されている。第２の走査線ＤＳは、ドライブスキャナ１１９８によって走査される。ライトスキャナ１１９６とドライブスキャナ１１９８とはスキャナ部を構成しており、１つの水平走査期間毎に行単位で画素を順次走査する。
【００８７】
画素回路１１９０は、第１の走査線ＷＳによって選択された際、信号線ＳＬから映像信号をサンプリングする。さらに、画素回路１１９０は、第２の走査線ＤＳによって選択された際、サンプリングされた映像信号に応じて、当該画素回路１１９０に含まれる発光素子を駆動する。また、画素回路１１９０は、水平走査期間内に第１の走査線ＷＳ、及び第２の走査線ＤＳによって制御された際、所定の補正処理を実行する。
【００８８】
また、画素アレイ１１９２は、例えば、ガラス等の絶縁基板上に形成される。そのため、絶縁基板上に形成された画素アレイ１１９２はフラットパネルを形成する。そして、画素回路１１９０は、アモルファスシリコン薄膜トランジスタ、又は低温ポリシリコン薄膜トランジスタ等のトランジスタ回路により形成される。アモルファスシリコン薄膜トランジスタの場合、前記のスキャナ部は、例えば、パネルとは別のＴＡＢ等により形成され、フレキシブルケーブルを用いてフラットパネルに接続された構造を有する。同様に、信号線を駆動する信号部は、例えば、外付けされたドライバＩＣにより形成され、フラキシブルケーブルを用いてフラットパネルに接続された構造を有する。
【００８９】
（接続管理部１１７０）
再び図８を参照する。接続管理部１１７０は、表示部１１０とベース部１２０、２２０との接続状態を管理する手段である。例えば、接続管理部１１７０は、表示部１１０とベース部１２０、２２０とが電気的に接続された際に、通信部１１４８に対して音声出力信号を伝送する。同様に、接続管理部１１７０は、表示部１１０とベース部１２０、２２０とが物理的に接続された際に、通信部１１４８に対して音声出力信号を伝送する。
【００９０】
さらに、接続管理部１１７０は、表示部１１０とベース部１２０、２２０とが離脱された際に、電源部１１４６に対して電力消費量を低減させるように省電力制御してもよい。この省電力制御とは、例えば、映像出力部１１５０に対する電力供給量を低減又は停止するように制御することで表示部１１０で消費される電力量を低減させる方法である。逆に、接続管理部１１７０は、表示部１１０とベース部１２０、２２０とが接続された際に、電源部１１４６に対して電力消費量を元に戻すように制御することも可能である。
【００９１】
ここで、図１０を参照しながら、接続管理部１１７０の機能構成について、より詳細に説明する。図１０は、本実施形態に係る接続管理部１１７０の機能構成をより詳細に示す説明図である。
【００９２】
図１０に示すように、接続管理部１１７０は、主に、接続検知部１１７２と、省電力制御部１１７４と、音声信号発信部１１７６とにより構成される。また、接続検知部１１７２は、物理接続検知部１１８２と、電気接続検知部１１８４とにより構成される。
【００９３】
（物理接続検知部１１８２）
物理接続検知部１１８２は、例えば、表示部１１０とベース部１２０、２２０との間の物理的な接続状態が嵌合検知センサＦＳ（又は結合強度センサＭＳ）により検知されると、嵌合検知センサＦＳ（又は結合強度センサＭＳ）の出力信号に応じて電力復元制御信号、及び音声出力信号を発信する。この電力復元制御信号は、省電力状態から元の電力供給状態に復元させるための信号であり、省電力制御部１１７４に入力される。また、音声出力信号は、音声信号発信部１１７６に入力される。
【００９４】
同様に、物理接続検知部１１８２は、表示部１１０とベース部１２０、２２０とが物理的に離脱されると、嵌合検知センサＦＳ（又は結合強度センサＭＳ）の出力信号に応じて省電力制御信号を発信する。この省電力制御信号は、表示部１１０を省電力状態に制御するための信号であり、省電力制御部１１７４に入力される。
【００９５】
（電気接続検知部１１８４）
電気接続検知部１１８４は、例えば、表示部１１０とベース部１２０、２２０との間の電気的な接続状態が信号検知センサＳＳ、又は給電検知センサＰＳにより検知されると、信号検知センサＳＳの出力信号、又は給電検知センサＰＳの出力信号に応じて電力復元制御信号、及び音声出力信号を発信する。また、電気接続検知部１１８４は、表示部１１０とベース部１２０、２２０とが電気的に離脱されると、信号検知センサＳＳの出力信号、又は給電検知センサＰＳの出力信号に応じて省電力制御信号を発信する。
【００９６】
尚、説明の都合上、「電気的」という表現を用いているが、電磁誘導を利用した給電機構、又は信号伝達機構を用いる場合は、「電磁的」又は「磁気的」という表現に読み替えていただきたい。また、光を用いて給電又は信号伝達する場合は、「光的」という表現に読み替えていただきたい。当然、これらの変形は、本実施形態の技術的範囲に属する。
【００９７】
（省電力制御部１１７４、音声信号発信部１１７６）
省電力制御部１１７４は、接続検知部１１７２から受信した省電力制御信号、又は電力復元制御信号に応じて電源部１１４６の電力制御を実行する。例えば、省電力制御部１１７４は、省電力制御信号を受信すると、電源部１１４６から映像出力部１１５０に対して供給される電力量を低減又は停止させる。逆に、省電力制御部１１７４は、電力復元制御信号を受信すると、電力供給量が低減又は停止されていた映像出力部１１５０に対して省電力制御前の電力量を供給させる。尚、映像出力部１１５０以外の構成要素について省電力制御していた場合、他の構成要素についても電力供給量を復元させる。
【００９８】
音声信号発信部１１７６は、接続検知部１１７２から受信した音声出力信号に応じて、例えば、表示部１１０に設けられた音声出力部１１１４から音声を出力させる（図４を参照）。若しくは、音声信号発信部１１７６は、接続検知部１１７２から受信した音声出力信号に応じ、通信部１１４８により音声出力信号をベース部１２０、２２０に伝送する（図３を参照）。これらの機能により、ユーザは、表示部１１０、又はベース部１２０、２２０のいずれか又は両方から出力される音声を確認することで、表示部１１０とベース部１２０、２２０との間の物理的又は電気的な接続状態を確認することができる。
【００９９】
（フォトセンサ１１４２、電源部１１４６）
再び図８を参照する。フォトセンサ１１４２は、外部から照射された光を検知する受光手段である。例えば、フォトセンサ１１４２は、リモートコントローラ（以下、リモコン）から発信された赤外線を受光し、リモコン操作により指定された制御処理内容を駆動制御部１１５８に伝達する。他の例として、フォトセンサ１１４２は、表示部１１０が設置された場所の照光量を検知し、映像出力部１１５０により出力される映像の輝度やコントラストを調整するように駆動制御部１１５８に通知する。
【０１００】
電源部１１４６は、表示部１１０の各構成要素に電力を供給する手段である。電源部１１４６は、接続管理部１１７０から受信した省電力制御信号、又は電力復元制御信号に応じて映像出力部１１５０、又は他の構成要素に供給する電力量を調整することができる。例えば、電源部１１４６は、映像出力部１１５０、及び通信部１１４８に対する電力供給量を低減又は電力供給自体を停止することができる。
【０１０１】
（ジャイロセンサ１１４４）
ジャイロセンサ１１４４は、表示部１１０の設置方向を検知する手段である。例えば、図１１（Ａ）に示すように、表示部１１０が縦置きで設置された場合、ジャイロセンサ１１４４は、表示部１１０が縦置きであることを検知し、その方向性（縦）を示す情報を駆動制御部１１５８に入力する。すると、駆動制御部１１５８は、画素部１１５２に出力される映像の方向性が表示部１１０の方向性（縦）と一致するように出力方向を調整する。同様に、表示部１１０が横置きで設置された場合（図１１（Ｂ））、或いは、縦置きから横置きに回転された場合、ジャイロセンサ１１４４は、表示部１１０が横置きであることを検知し、その方向性（横）を示す情報を駆動制御部１１５８に入力する。すると、駆動制御部１１５８は、画素部１１５２に出力される映像の方向性が表示部１１０の方向性（横）と一致するように出力方向を調整する。
【０１０２】
（通信部１１４８）
通信部１１４８は、ベース部１２０、２２０との間で情報を送受信するための手段である。例えば、通信部１１４８は、ベース部１２０、２２０が取得した映像データを受信して駆動制御部１１５８に入力する。すると、駆動制御部１１５８は、その映像データを画素部１１５２に出力する。また、通信部１１４８は、接続管理部１１７０から出力された音声出力信号をベース部１２０、２２０に送信する。すると、ベース部１２０、２２０は、受信した音声出力信号に応じて音声を出力することができる。
【０１０３】
尚、通信部１１４８は、例えば、赤外線通信、ＲＦ通信、非接触通信（磁気結合通信）、又は可視光通信等の無線通信手段、或いは、有線通信手段である。
【０１０４】
例えば、通信部１１４８が赤外線通信や可視光通信の通信手段である場合、減衰距離が短いことや壁面非透過性等により、表示部１１０とベース部１２０、２２０との間の通信可能距離が所定範囲内に制限される。そのため、表示部１１０に映像データを提供するためのベース部１２０、２２０をユーザが容易に選択することができるようになる。例えば、ユーザが居る部屋のベース部１２０、２２０のコンテンツを楽しみたい場合、ユーザが特別な設定を行わなくても、所望のベース部１２０、２２０が提供される。
【０１０５】
一方、通信部１１４８がＲＦ通信手段である場合、減衰距離が長く、壁面透過性を有することから、より遠方に設置されたベース部１２０、２２０を選択できるようになる。例えば、浴室や屋外等のベース部１２０、２２０が設置し難い場所に表示部１１０を持ち出す場合、ユーザは、容易にリビングルームに設置されたベース部１２０、２２０のコンテンツを楽しむことができるようになる。
【０１０６】
さらに、通信部１１４８が非接触通信の通信手段である場合、非接触通信機能を内蔵した携帯電話や情報処理装置等を通信部１１４８に翳すだけで、当該携帯電話や情報処理装置等により提供可能なコンテンツを表示部１１０に表示できるようになる。また、非接触ＩＣカード等に記録された情報を表示部１１０を用いて表示させるといった利用形態も考えられる。その場合、通信部１１４８には、非接触ＩＣカードのリーダ／ライタ機能が搭載される。尚、非接触通信は、電磁誘導現象を利用した磁気結合型の通信技術であるため、この電磁誘導を利用してベース部１２０、２２０から表示部１１０に電力供給することも可能である。その場合、通信部１１４８は、給電経路も形成することになる。
【０１０７】
そして、通信部１１４８が有線通信手段である場合、ベース部１２０、２２０に対して確実に接触され、信号経路が確立されなければ信号を伝送することができない。そのため、通信部１１４８を介して信号の送受信が確認されれば、信号経路が接続状態にあることが確認できる。この場合、通信部１１４８は、信号検知センサＳＳの一部を形成する。
【０１０８】
以上、本実施形態に係る表示部１１０の機能構成について説明した。次に、ベース部１２０、２２０の機能構成について説明する。
【０１０９】
（ベース部１２０、２２０の機能構成）
さらに、図８を参照しながら、ベース部１２０、２２０の機能構成について説明する。図８に示すように、ベース部１２０、２２０は、主に、音声出力部１２４２と、通信部１２４４と、撮像部１２４６と、通話機能モジュール１２４８と、外部機器接続インターフェース１２５０と、放送受信インターフェース１２５２と、外部通信インターフェース１２５４と、リムーバブルメディアインターフェース１２５６と、記憶部１２５８と、信号処理部１２７０とにより構成される。
【０１１０】
音声出力部１２４２は、通信部１２４４を介して表示部１１０から受信した音声出力信号に応じて音声を出力する手段である。つまり、音声出力部２２０６に対応する。通信部１２４４は、通信部１１４８と同様に、有線又は無線による通信手段である。通信部１２４４は、表示部１１０に対して映像データや音声データ等を送信する。また、通信部１２４４は、表示部１１０から音声出力信号を受信して音声出力部１２４２に入力する。
【０１１１】
撮像部１２４６は、被写体を光学的に撮影して静止画データ又は動画データを生成する手段である。通話機能モジュール１２４８は、有線又は無線の電話回線を介して音声又はデータを入出力する手段である。通話機能モジュール１２４８は、取り外し可能であってもよく、例えば、携帯電話やスマートフォーン等の通話／通信機器を接続することでも実現可能である。また、撮像部１２４６と組み合わせてテレビ電話機能を提供することも可能である。
【０１１２】
外部機器接続インターフェース１２５０は、ベース部１２０、２２０に外部機器を接続するためのインターフェースである。例えば、外部機器接続インターフェース１２５０には、外部機器として、パーソナルコンピュータ等の情報処理装置、スマートフォンや携帯電話等の携帯端末、外付けハードディスクドライブ、プリンタ、ファクシミリ、イメージスキャナ、光学式ディスクドライブ、キーボードやマウス等の入力デバイス、外部接続スピーカ、ゲーム機、携帯音楽プレーヤ、携帯動画プレーヤ、ワンセグチューナ、又は各種の情報家電等が接続される。尚、外部機器接続インターフェース１２５０は、例えば、ＩＥＥＥ１３９４、ＵＳＢ、ＳＣＳＩ、ＲＳ−２３２Ｃ、ＰＣＭＣＩＡ等の規格に則ったインターフェースであってもよい。
【０１１３】
放送受信インターフェース１２５２は、地上波デジタル放送、地上波アナログ放送、衛星放送、ケーブルテレビ放送、ラジオ放送等の配信データを受信するための手段である。また、放送受信インターフェース１２５２は、地上波デジタル放送の番組情報等を受信してもよい。外部通信インターフェース１２５４は、ＬＡＮ等の狭域ネットワーク又はインターネット等の広域ネットワークから情報を受信するための有線又は無線通信手段である。例えば、外部通信インターフェース１２５４は、広域ネットワークを介して放送番組のＥＰＧ情報を受信したり、インターネット経由で配信される放送番組を受信することができる。
【０１１４】
リムーバブルメディアインターフェース１２５６は、各種のデータが記録されたリムーバブルメディアを接続し、データの記録したり、又はデータを読み出したりする手段である。リムーバブルメディアインターフェース１２５６には、リムーバブルメディアとして、例えば、メモリースティック、ＳＤカード、ＵＳＢメモリ等の半導体メモリデバイスや、小型のハードディスクドライブ等が接続される。記憶部１２５８は、信号処理部１２７０から出力された映像又は音声データ等が記録される記憶手段である。記憶部１２５８は、例えば、磁気記憶装置、光記憶装置、光磁気記憶装置、半導体記憶装置等の記憶装置により構成される。
【０１１５】
（信号処理部１２７０）
信号処理部１２７０は、上記の各種インターフェースから入力された映像又は音声等の信号を処理し、表示部１１０により再生可能なデータを出力する手段である。また、信号処理部１２７０は、出力データの一部又は全部を記憶部１２５８に記録してもよい。さらに、信号処理部１２７０は、出力データを通信部１２４４を介して表示部１１０に送信できる。以下、信号処理部１２７０の具体的な機能構成について、より詳細に説明する。
【０１１６】
図１２に示すように、信号処理部１２７０は、主に、複数の受信回路２７０、２７４と、複数のデ・マルチプレクサ２７２、２７８と、デ・スクランブル部２７６と、データ処理部２８２と、ビデオ処理部２８４と、オーディオ処理部２８０と、ＯＳＤ（Ｏｎ  Ｓｃｒｅｅｎ  Ｄｉｓｐｌａｙ）回路２８６と、合成回路２８８と、コントローラ２９０とにより構成される。
【０１１７】
信号処理部１２７０には、２系統の受信回路２７０、２７４と、受信回路２７０，２７４の各々に対応する２つのデ・マルチプレクサ２７２、２７８とが設けられている。受信回路２７０は、例えば、所定のチャンネルを通じて伝送される付加情報信号の受信専用回路である。一方、受信回路２７４は、例えば、所定のチャンネルを通じて伝送される番組放送信号の受信専用回路である。
【０１１８】
信号処理部１２７０は、電源がオンの状態にある場合、受信回路２７０を介して付加情報信号を受信することができる。同様に、信号処理部１２７０は、受信回路２７４を介して番組放送信号を受信することができる。そのため、信号処理部１２７０は、所望の映像信号、音声信号、及びデータ信号を受信し、これらの信号をデコードした上で出力することができる。
【０１１９】
コントローラ２９０は、信号処理部１２７０に含まれる各構成要素を制御する装置である。コントローラ２９０は、例えば、ＣＰＵ２９２と、ＲＯＭ２９４と、ＲＡＭ２９６と、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）２９８と、ＤＲＡＭ（Ｄｙｎａｍｉｃ  ＲＡＭ）３００と、バス３０２とにより実現される。つまり、ＣＰＵ２９２、ＲＯＭ２９４、ＲＡＭ２９６、ＥＥＰＲＯＭ２９８、及びＤＲＡＭ３００は、バス３０２を通じて接続され、コントローラ２９０を形成する。このコントローラ２９０は、例えば、パーソナルコンピュータ等の情報処理装置と類似した機能構成を有していると言える。
【０１２０】
信号処理部１２７０は、例えば、電源が投入された後、電源を遮断する直前まで受信していた番組放送信号のチャンネル周波数やプログラムＩＤなどの放送情報をＥＥＰＲＯＭ２９８に保持しておくことが可能である。その場合、コントローラ２９０は、信号処理部１２７０に電源が投入されると、前回電源を遮断する直前まで受信していた番組放送信号の放送情報をＥＥＰＲＯＭ２９８から読み出して、再び選局するための選局制御信号を出力する。
【０１２１】
この選局制御信号は、受信回路２７４のチューナ２７４２を介してデ・マルチプレクサ２７８に入力される。チューナ２７４２は、コントローラ２９０により入力された選局制御信号が示すチャンネル周波数の番組放送信号を受信する。そして、チューナ２７４２は、受信した番組放送信号を復調部２７４４に入力する。復調部２７４４は、入力された番組放送信号を復調してトランスポートストリーム信号を生成する。復調部２７４４は、例えば、６４ＱＡＭの変調方式及び多重度で変調された番組放送信号を復調する。
【０１２２】
このトランスポートストリーム信号は、誤り訂正部２７４６に入力される。誤り訂正部２７４６は、入力されたトランスポートストリーム信号に誤り訂正を施してデ・スクランブル部２７６に入力する。誤り訂正部２７４６は、例えば、リード・ソロモン符号により符号化されたトランスポートストリーム信号に対して誤り訂正を施すことができる。デ・スクランブル部２７６は、コントローラ２９０から取得した情報に基づき、入力された誤り訂正後のトランスポートストリーム信号に施されたスクランブルを解除して番組放送信号を再生する。そして、デ・スクランブル部２７６は、スクランブル解除後の番組放送信号をデ・マルチプレクサ２７８に入力する。
【０１２３】
デ・マルチプレクサ２７８は、コントローラ２９７から取得した選択制御信号に応じて放送番組情報（コンテンツ）を抽出し、その種類に応じてデータ処理部２８２、ビデオ処理部２８４、又はオーディオ処理部２８０に入力する。データ処理部２８２は、入力されたデータから文字又は画像を表示するための映像信号を生成して合成回路２８８に入力する。ビデオ処理部２８４は、入力されたデータから映像又は画像を表示するための映像信号を生成して合成回路２８８に入力する。
【０１２４】
合成回路２８８には、ＯＳＤ回路２８６からも映像信号が入力される。ＯＳＤ回路２８６は、コントローラ２９０による制御に応じて、例えば、電子番組案内表や各種のガイダンスメッセージ等を表示するための映像信号を生成して合成回路２８８に入力する。合成回路２８８は、データ処理部２８２、ビデオ処理部２８４、及びＯＳＤ回路２８６から入力された映像信号を合成し、この合成された映像信号を出力する。また、オーディオ処理部２８０は、入力されたデータから音声信号を生成して出力する。
【０１２５】
一方、コントローラ２９０は、選局したチャンネル信号に多重化された付加情報信号に基づき、そのチャンネル周波数を特定する。そして、コントローラ２９０は、特定したチャンネル周波数を示す選局制御信号を受信回路２７０のチューナ２７０２に入力する。チューナ２７０２は、コントローラ２９７から入力された選局制御信号に基づいて付加情報信号を受信して復調部２７０４に入力する。復調部２７０４は、入力された付加情報信号を復調し、誤り訂正部２７０６に入力する。誤り訂正部２７０６は、付加情報信号に誤り訂正を施し、誤り訂正後の付加情報信号をデ・マルチプレクサ２７２に入力する。
【０１２６】
デ・マルチプレクサ２７２は、コントローラ２９０による制御に応じて、入力された付加情報信号から必要な付加情報を抽出し、コントローラ２９０に入力する。コントローラ２９０は、デ・マルチプレクサ２７２により抽出された付加情報をＤＲＡＭ３００に一時的に記憶する。そして、コントローラ２９０は、この付加情報に基づいて電子番組案内等の付加情報サービスをユーザの端末装置に提供する。また、コントローラ２９０は、ユーザから放送番組の指定を受けると、その番組に対応するチャンネルが選局されるように受信回路２７０のチューナ２７０２を制御する。さらに、コントローラ２９０は、指定された放送番組に対応するデータを抽出するようにデ・マルチプレクサ２７２を制御する。
【０１２７】
以上、本実施形態に係る信号処理部１２７０の構成例について説明した。コントローラ２９０は、バス３０２を介して表示装置１００の他の構成要素と接続されており、他の構成要素に対して各種のデータを取得したり、或いは、映像信号や音声信号を出力することができる。
【０１２８】
以上、本実施形態に係る表示装置１００の機能構成について説明した。上記の構成により、表示装置１００を構成する表示部１１０とベース部１２０、２２０との接続状態をユーザが容易に認知することが可能になり、両部の接続に関する信頼性が向上する。
【０１２９】
（応用例）
ここで、図１３を参照しながら、本実施形態に係る表示装置１００の応用例について説明する。図１３は、本実施形態に係る表示装置１００の応用例を示す説明図である。上記の表示装置１００を用いると、例えば、次のようなユースケースが実現される。
【０１３０】
図１３には、表示部１１０と、ベース部２２０と、外部音響機器３３０とが記載されている。例えば、所定の空間領域（例えば、部屋内）にベース部２２０と外部音響機器３３０とが配置されているものとする。このとき、ユーザによりベース部２２０に表示部１１０が接続されると、表示部１１０は、通信部１１４８を介して外部音響機器３３０に音声出力信号を送信する。すると、外部音響機器３３０は、受信した音声出力信号に応じて所定の音声を出力する。
【０１３１】
この応用例によると、表示部１１０、及びベース部２２０の双方に音声出力手段が設けられていない場合でも、両部の接続状態をユーザに認知されることができるという利点がある。また、表示部１１０とベース部２２０とが接続された表示装置１００の外部音声出力手段として、外部音響機器３３０が利用できることをユーザに通知することができる。もし、表示部１１０又はベース部２２０の通信部１１４８、１２４４が赤外線通信や可視光通信等の通信手段の場合、ユーザが居る部屋内の外部音響機器３３０が特別な設定無しに自動的に選択される。尚、表示部１１０が単独で壁面に設置される場合にも、同様の構成を実現することが可能である。このような応用例も、当然、本実施形態の技術的範囲に属する。
【０１３２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【０１３３】
【図１】本発明の一実施形態に係る表示装置の全体構造を示す説明図である。
【図２】同実施形態に係る表示装置の脱着構造を示す説明図である。
【図３】同実施形態に係る表示装置の壁掛け方法の一例を示す説明図である。
【図４】同実施形態に係る表示装置の壁掛け方法の一例を示す説明図である。
【図５】同実施形態に係る表示装置が有する設置部材の構成を示す説明図である。
【図６】同実施形態に係る表示装置が有する設置部材の構成を示す説明図である。
【図７】同実施形態に係る表示装置が有する発光部材の構成を示す説明図である。
【図８】同実施形態に係る表示装置の機能構成を示す説明図である。
【図９】同実施形態に係る接続管理部の機能構成を示す説明図である。
【図１０】同実施形態に係る映像出力部の装置構成を示す説明図である。
【図１１】同実施形態に係るジャイロセンサの機能構成を示す説明図である。
【図１２】同実施形態に係る信号処理部の機能構成を示す説明図である。
【図１３】同実施形態に係る接続通知方法の一応用例を示す説明図である。
【符号の説明】
【０１３４】
１００    表示装置
１１０    表示部
１１０２    表示パネル
１１０４    周辺部
１１０８    背面部
１１１０    接続部
１１１２    信号入出力端子
１１１４    音声出力部
１１１６    外枠部
１１１８    設置部材
１１２０    補強部材
１１２２    発光部
１１４２    フォトセンサ
１１４４    ジャイロセンサ
１１４６    電源部
１１４８    通信部
１１５０    映像出力部
１１５２    画素部
１１５４、１１５６    走査回路
１１５８    駆動制御部
１１７０    接続管理部
１１７２    接続検知部
１１７４    省電力制御部
１１７６    音声信号発信部
１１８２    物理接続検知部
１１８４    電気接続検知部
１２０、２２０    ベース部
１２０２    アーム
１２０４    カードリーダ
１２０６    接続部
１２０８    アンテナ
１２４２    音声出力部
１２４４    通信部
１２４６    撮像部
１２４８    通話機能モジュール
１２５０    外部機器接続インターフェース
１２５２    放送受信インターフェース
１２５４    外部通信インターフェース
１２５６    リムーバブルメディアインターフェース
１２５８    記憶部
１２７０    信号処理部
２２０２    周辺部
２２０４    信号入出力端子
２２０６    音声出力部
３３０    外部音響機器
ＦＳ    嵌合検知センサ
ＳＳ    信号検知センサ
ＰＳ    給電検知センサ
ＭＳ    結合強度センサ
【図１】
2009128450.tif 000003
【図２】
2009128450.tif 000004
【図３】
2009128450.tif 000005
【図４】
2009128450.tif 000006
【図５】
2009128450.tif 000007
【図６】
2009128450.tif 000008
【図７】
2009128450.tif 000009
【図８】
2009128450.tif 000010
【図９】
2009128450.tif 000011
【図１０】
2009128450.tif 000012
【図１１】
2009128450.tif 000013
【図１２】
2009128450.tif 000014
【図１３】
2009128450.tif 000015